(57)【要約】【課題】入力作業の手間を軽減する。【解決手段】複合機１００は、利用者によって電子ペーパＥが載置される原稿トレイ２１と、利用者によって電子ペーパＥが載置される手差トレイ８２と、原稿トレイ２１に載置されている状態の電子ペーパＥから無線通信にて画像データを読み取る第１通信装置１２３と、手差トレイ８２に載置されている状態の電子ペーパＥに対して無線通信にて画像データを記録する第２通信装置１３３とを備える。【選択図】図５
2011250316.tif 000002
【特許請求の範囲】
【請求項１】
用紙へ画像を印刷する印刷処理と、撮像素子によって原稿から画像を読み取る第１読取処理とを行うものであり、さらに、画像を表示するものであって当該画像の画像データを無線通信にて受信且つ送信可能になっている携帯型表示媒体との間で無線通信を行う複合機において、
利用者によって前記携帯型表示媒体が載置される読取用載置部と、
前記読取用載置部とは異なる位置にあり、利用者によって前記携帯型表示媒体が載置される記録用載置部と、
前記読取用載置部に載置されている状態の携帯型表示媒体から無線通信にて画像データを読み取る第２読取処理を実行する読取用通信装置と、
前記記録用載置部に載置されている状態の携帯型表示媒体に対して無線通信にて画像データを記録する記録処理を実行する記録用通信装置とを備えることを特徴とする複合機。
【請求項２】
前記読取用載置部に前記携帯型表示媒体が載置されると前記複合機を読取モードに移行させ、前記記録用載置部に前記携帯型表示媒体が載置されると前記複合機を記録モードに移行させるモード制御部を備え、
前記読取モードとは、前記複合機が前記第２読取処理の開始指示を受け付けることの可能な状態であり、当該開始指示が受け付けられると前記読取用通信装置が第２読取処理を実行するようになっているモードであり、
前記記録モードとは、前記複合機が前記記録処理の開始指示を受け付けることの可能な状態であり、当該開始指示が受け付けられると前記記録用通信装置が前記記録処理を実行するようになっているモードであることを特徴とする請求項１に記載の複合機。
【請求項３】
前記読取用通信装置は、前記読取用載置部に前記携帯型表示媒体が載置されると、前記携帯型表示媒体の識別情報を前記携帯型表示媒体から読み出すようになっており、
前記記録用通信装置は、前記記録用載置部に前記携帯型表示媒体が載置されると、前記携帯型表示媒体の識別情報を前記携帯型表示媒体から読み出すようになっており、
前記モード制御部は、前記読取用通信装置が前記識別情報を読み出した場合に前記複合機を前記読取モードに移行させるようになっており、前記記録用通信装置が前記識別情報を読み出した場合に前記複合機を前記記録モードに移行させるようになっていることを特徴とする請求項２に記載の複合機。
【請求項４】
利用者によって前記原稿が載置される原稿トレイと、前記原稿トレイの原稿を所定の原稿搬送路に送り込み且つ前記原稿搬送路において前記原稿を搬送する原稿搬送部とを有しており、前記原稿搬送路において搬送されている状態の原稿に対して前記第１読取処理を行う原稿読取装置と、
利用者によって前記用紙が載置される用紙トレイと、前記用紙トレイの用紙を所定の用紙搬送路に送り込み且つ前記用紙搬送路において前記用紙を搬送する用紙搬送部とを有しており、前記用紙搬送路において搬送されている状態の用紙に対して前記印刷処理を行う印刷装置とを備え、
前記原稿トレイは前記読取用載置部として流用され、前記用紙トレイは前記記録用載置部として流用されることを特徴とする請求項３に記載の複合機。
【請求項５】
前記原稿搬送部および前記用紙搬送部を制御する搬送制御部を備え、
前記搬送制御部は、前記読取モードでは前記原稿搬送部を動作させず、前記記録モードでは前記用紙搬送部を動作させないことを特徴とする請求項４に記載の複合機。
【請求項６】
表示部と、
前記原稿トレイ上の載置物から反射する反射光に応じて、前記載置物が紙媒体であるか否かを示す信号を出力する第１反射型センサと、
前記載置物が紙媒体でないことを示す信号が前記第１反射型センサから出力され、且つ、読取用通信装置が前記載置物から前記識別情報を読み出せない場合、前記表示部にエラーを示す画像を表示する第１表示制御部とを備えることを特徴とする請求項５に記載の複合機。
【請求項７】
表示部と、
前記用紙トレイ上の載置物から反射する反射光に応じて、前記載置物が紙媒体であるか否かを示す信号を出力する第２反射型センサと、
前記載置物が紙媒体でないことを示す信号が前記第２反射型センサから出力され、且つ、読取用通信装置が前記載置物から前記識別情報を読み出せない場合、前記表示部にエラーを示す画像を表示する第２表示制御部とを備えることを特徴とする請求項５に記載の複合機。
【請求項８】
表示部と、
前記複合機が前記読取モードに移行すると、前記第２読取処理の実行を利用者に予告する画像を前記表示部に表示させ、前記複合機が前記記録モードに移行すると、前記記録処理の実行を利用者に予告する画像を前記表示部に表示させる第３表示制御部とを備えることを特徴とする請求項２から５のいずれか１項に記載の複合機。
【請求項９】
前記印刷処理の開始指示を受け付けるためのキーであり、且つ、前記第１読取処理の開始指示を受け付けるためのキーでもある指示入力キーを備え、
前記指示入力キーは、前記読取モードでは、前記第２読取処理の開始指示を受け付けるためのキーとして機能し、前記記録モードでは、前記記録処理の開始指示を受け付けるためのキーとして機能することを特徴とする請求項２から８のいずれか１項に記載の複合機。
【請求項１０】
前記読取用載置部に第１携帯型表示媒体が載置され且つ前記記録用載置部に第２携帯型表示媒体が載置されている場合、前記複合機を表示媒体複写モードに移行させるモード制御部を備え、
前記表示媒体複写モードとは、前記複合機が表示媒体複写ジョブの開始指示を受け付けることの可能な状態であり、当該開始指示が受け付けられると前記表示媒体複写ジョブが行われるようになっているモードであり、
前記表示媒体複写ジョブとは、前記読取用通信装置が前記第１携帯型表示媒体から画像データを読み取る処理と、第１携帯型表示媒体から読み取られた画像データを前記記録用通信装置が前記第２携帯型表示媒体に記録する処理とを含むジョブであることを特徴とする請求項１に記載の複合機。
【発明の詳細な説明】
【技術分野】
【０００１】
本発明は、電子ペーパ、電子ブック端末、スマートフォン、携帯情報端末等の画像表示を行う携帯型表示媒体との間で無線通信を行うことの可能な複合機に関する。
【背景技術】
【０００２】
特許文献１には、原稿自動搬送装置の原稿テーブル（原稿トレイ）に原稿が載置された場合、当該原稿を搬送路に送り込んで搬送路内の所定位置で原稿の画像を光学的に読み取り、前記原稿テーブルに電子ペーパが載置された場合、当該電子ペーパを搬送路に送り込んで搬送路内の所定位置で電子ペーパに記録されている電子データを無線通信によって読み取る画像読取装置が提案されている。また、特許文献２には、給紙トレイまたは手差トレイに載置されている用紙を搬送路に送り込んで搬送路内の印刷位置にて前記用紙に画像を記録（印刷）し、前記給紙トレイまたは前記手差トレイに載置されている電子ペーパを搬送路に送り込んで搬送路内の記録位置において無線通信によって前記電子ペーパに画像を記録することの可能な画像形成装置が提案されている。
【０００３】
しかし、電子ペーパは、柔軟性があるもののプラスチック製であるため、搬送路にて詰まり易く、また、詰まった時に破損する可能性が高いという問題がある。例えば、搬送路のアールの小さな箇所において、プラスチック製の電子ペーパは詰まり易い。そして、電子ペーパは、プラスチック製であるため、詰まると紙媒体よりも破損しやすい。また、定着装置近傍にて電子ペーパが詰まると、定着装置の熱によって電子ペーパの回路が損傷してしまう。
【０００４】
さらに、電子ペーパが搬送路にて詰まってしまうと、画像形成装置自体が破損することがあるという問題も生じる。例えば、電子ペーパと用紙とを同じ搬送路にて搬送するようになっている画像形成装置の場合、プラスチック製の電子ペーパが定着装置近傍で詰まってしまうと、電子ペーパが搬送ガイドに融着してしまい、搬送ガイドが破損する。また、搬送路に詰まっている用紙を除去するために当該用紙を無理に引っ張っても当該用紙が破れるだけで装置本体が破損することは殆どなかったが、搬送路に詰まっている電子ペーパを除去するために当該電子ペーパを無理に引っ張ると、この電子ペーパによって搬送路のガイドや用紙通過検出用センサ等が傷つき破損するという問題もある。
【０００５】
これに対し、特許文献３、４は、画像形成装置の内部に無線通信装置を備え、画像形成装置の外部において当該画像形成装置に近接している電子ペーパと無線接続し、この電子ペーパに対して無線通信によって画像を記録する構成が開示されている。この構成によれば、電子ペーパを搬送路内にて搬送させる必要が無いため、以上の問題が生じない。
【先行技術文献】
【特許文献】
【０００６】
【特許文献１】特開２００８−１２４７２２号公報
【特許文献２】特開２００８−１９２０８９号公報
【特許文献３】特開２００６−０４１７５９号公報
【特許文献４】特開２００７−３００６５４号公報
【発明の概要】
【発明が解決しようとする課題】
【０００７】
特許文献３、４の画像形成装置は、電子ペーパへ画像を記録するものであり、電子ペーパから画像データを読み取るジョブを行うものではないが、電子ペーパに対して画像を記録する機能と電子ペーパから画像データを読み取る機能との両方を備えることも可能である。
【０００８】
しかし、近接する電子ペーパと無線接続するようになっている特許文献３、４のような画像形成装置において、電子ペーパに対して画像を記録する機能と電子ペーパから画像データを読み取る機能との両方を備える場合、下記の課題が生じる。この場合、画像形成装置に対して電子ペーパを近づけると、画像形成装置の無線通信装置と電子ペーパとが無線接続されるが、利用者は、画像形成装置のジョブ開始ボタン（スタートボタン）を押す前に、画像形成装置に実行させるジョブの種類を選択するための選択コマンドを入力しなければならず、コマンド入力の手間が増えるという課題がある。つまり、電子ペーパに対して画像を記録するジョブを行う場合、ジョブ開始ボタンを押す前に、記録ジョブモードを選択する選択コマンドを入力する必要があり、電子ペーパから画像データを読み出す場合、ジョブ開始ボタンを押す前に、読取ジョブモードを選択する選択コマンドを入力する必要がある。
【０００９】
本発明は、電子ペーパ等の携帯型表示媒体との間で無線通信を行うことが可能であって、携帯型表示媒体への画像の記録処理および携帯型表示媒体からの画像データの読取処理の両方を行うことの可能な複合機において、利用者のコマンド入力の手間を軽減することを目的とする。
【課題を解決するための手段】
【００１０】
前記の目的を達成するために、本発明は、用紙へ画像を印刷する印刷処理と、撮像素子によって原稿から画像を読み取る第１読取処理とを行うものであり、さらに、画像を表示するものであって当該画像の画像データを無線通信にて受信且つ送信可能になっている携帯型表示媒体との間で無線通信を行う複合機において、利用者によって前記携帯型表示媒体が載置される読取用載置部と、前記読取用載置部とは異なる位置にあり、利用者によって前記携帯型表示媒体が載置される記録用載置部と、前記読取用載置部に載置されている状態の携帯型表示媒体から無線通信にて画像データを読み取る第２読取処理を実行する読取用通信装置と、前記記録用載置部に載置されている状態の携帯型表示媒体に対して無線通信にて画像データを記録する記録処理を実行する記録用通信装置とを備えることを特徴とする。本発明の構成によれば、読取用載置部に携帯型表示媒体が載置されれば前記第２読取処理が実行可能になり、記録用載置部に携帯型表示媒体が載置されれば前記記録処理が実行可能になる。つまり、本発明の構成によれば、携帯型表示媒体に対して実行される処理内容が携帯型表示媒体の載置する位置に応じて決められているため、前記処理内容を選択するための選択コマンド（第２読取処理および記録処理のいずれかを選択するためのコマンド）を別途利用者から受け付ける必要がない。言い換えると、利用者からすれば、所望する処理内容に対応する載置部に携帯型表示媒体を載置するだけで処理内容を選択したことになるため、前記選択コマンドを入力する工程が不要になる。よって、本願発明の構成によれば、第２読取処理および記録処理の両方を実行できる複合機において入力作業の手間を軽減することができるという効果を奏する。
【００１１】
なお、前記の携帯型表示媒体としては、無線通信の可能な電子ペーパ、電子ブック端末、スマートフォン、携帯情報端末が挙げられる。
【００１２】
また、本発明の複合機は、前記構成に加えて、前記読取用載置部に前記携帯型表示媒体が載置されると前記複合機を読取モードに移行させ、前記記録用載置部に前記携帯型表示媒体が載置されると前記複合機を記録モードに移行させるモード制御部を備え、前記読取モードとは、前記複合機が前記第２読取処理の開始指示を受け付けることの可能な状態であり、当該開始指示が受け付けられると前記読取用通信装置が第２読取処理を実行するようになっているモードであり、前記記録モードとは、前記複合機が前記記録処理の開始指示を受け付けることの可能な状態であり、当該開始指示が受け付けられると前記記録用通信装置が前記記録処理を実行するようになっているモードであってもよい。この構成によれば、前記第２読取処理または前記記録処理を行う場合の利用者の作業手順は、処理内容に応じて決められた載置部に携帯型表示媒体を載置し、処理開始タイミングにて処理開始の指示を入力するという手順になり、決められた載置場所に原稿または用紙を載置して処理開始の指示を入力するという通常のジョブ（原稿読取または印刷）を行う場合の作業手順と類似することになる。それゆえ、前記構成によれば、利用者にとって使い勝手が良いというメリットがある。
【００１３】
さらに、本発明の複合機において、前記読取用通信装置は、前記読取用載置部に前記携帯型表示媒体が載置されると、前記携帯型表示媒体の識別情報を前記携帯型表示媒体から読み出すようになっており、前記記録用通信装置は、前記記録用載置部に前記携帯型表示媒体が載置されると、前記携帯型表示媒体の識別情報を前記携帯型表示媒体から読み出すようになっており、前記モード制御部は、前記読取用通信装置が前記識別情報を読み出した場合に前記複合機を前記読取モードに移行させるようになっており、前記記録用通信装置が前記識別情報を読み出した場合に前記複合機を前記記録モードに移行させるようになっていてもよい。この構成によれば、前記モード制御部は、前記読取用通信装置が前記識別情報を読み出した事をもって原稿トレイに携帯型表示媒体が載置された事を認識し、複合機を前記読取モードに移行させ、前記記録用通信装置が前記識別情報を読み出した事をもって用紙トレイに携帯型表示媒体が載置された事を認識し、複合機を前記記録モードに移行させるようになっている。それゆえ、原稿トレイまたは用紙トレイに携帯型表示媒体が載置されていないのに読取モードや記録モードに移行してしまうといった事態を抑制できる。
【００１４】
また、本発明は、前記構成に加えて、利用者によって前記原稿が載置される原稿トレイと、前記原稿トレイの原稿を所定の原稿搬送路に送り込み且つ前記原稿搬送路において前記原稿を搬送する原稿搬送部とを有しており、前記原稿搬送路において搬送されている状態の原稿に対して前記第１読取処理を行う原稿読取装置と、利用者によって前記用紙が載置される用紙トレイと、前記用紙トレイの用紙を所定の用紙搬送路に送り込み且つ前記用紙搬送路において前記用紙を搬送する用紙搬送部とを有しており、前記用紙搬送路において搬送されている状態の用紙に対して前記印刷処理を行う印刷装置とを備え、前記原稿トレイは前記読取用載置部として流用され、前記用紙トレイは前記記録用載置部として流用される構成であってもよい。この構成によれば、第２読取処理で用いられる携帯型表示媒体は第１読取処理で用いられる原稿を載置するための原稿トレイに載置するようになっており、画像書込の一形態である前記記録処理に用いられる携帯型表示媒体は画像書込の別の一形態である印刷処理にて用いられる用紙を載置するための用紙トレイに載置するようになっている。つまり、本願発明の構成によれば、読取処理に利用される媒体を原稿トレイに載置させ、画像書込に利用される媒体を用紙トレイに載置させており、処理の種類毎に媒体の載置場所を共通化していることになる。したがって、利用者からすれば、携帯型表示媒体の載置場所が分かり易く、使い勝手が良いという利点がある。
【００１５】
さらに、本発明は、前記構成に加えて、前記原稿搬送部および前記用紙搬送部を制御する搬送制御部を備え、前記搬送制御部は、前記読取モードでは前記原稿搬送部を動作させず、前記記録モードでは前記用紙搬送部を動作させない構成であってもよい。この構成によれば、原稿トレイに載置された携帯型表示媒体が原稿搬送路に送り込まれる事態、および、用紙トレイに載置された携帯型表示媒体が用紙搬送路に送り込まれるという事態を抑制できるため、原稿搬送路や用紙搬送路にて携帯型表示媒体が詰まってガイドやセンサ等が傷つき破損するという問題の発生を抑制できる。
【００１６】
また、原稿トレイ上における携帯型表示媒体の置き方によっては、読取用通信装置と前記携帯型表示媒体とが無線接続せずに、前記携帯型表示媒体から識別情報を読み出せないケースがある（例えば、携帯型表示媒体を原稿トレイに差し込む際の差込方向が決められており、決められた差込方向に従って差し込まないと無線接続しないようになっている構成において、差込方向と逆向きで差し込んでしまったような場合）。このケースでは、原稿トレイ上に携帯型表示媒体が載置されていても読取モードに移行しないという事態が生じることになる。そして、原稿トレイ上に携帯型表示媒体が載置されていても読取モードに移行しない場合、前記携帯型表示媒体が原稿トレイに載置されているにも拘わらず原稿搬送部が誤って駆動し、前記携帯型表示媒体が前記原稿搬送路に送り込まれてしまうという不都合が生じる虞がある。そこで、本発明の複合機は、前記構成に加えて、表示部と、前記原稿トレイ上の載置物から反射する反射光に応じて、前記載置物が紙媒体であるか否かを示す信号を出力する第１反射型センサと、前記載置物が紙媒体でないことを示す信号が前記第１反射型センサから出力され、且つ、読取用通信装置が前記載置物から前記識別情報を読み出せない場合、前記表示部にエラーを示す画像を表示する第１表示制御部とを備えていてもよい。これにより、原稿トレイ上に携帯型表示媒体が載置されている状況で前記携帯型表示媒体から識別情報を読み出せずに読取モードに移行できない場合、その旨を利用者に知らせることができるため、前記の不都合の発生を抑制できる。
【００１７】
また、用紙トレイ上における携帯型表示媒体の置き方によっては、記録用通信装置と前記携帯型表示媒体とが無線接続せずに、前記携帯型表示媒体から識別情報を読み出せないケースがある（例えば、携帯型表示媒体を用紙トレイに差し込む際の差込方向が決められており、決められた差込方向に従って差し込まないと無線接続しないようになっている構成において、差込方向と逆向きで差し込んでしまったような場合）。このケースでは、用紙トレイ上に携帯型表示媒体が載置されていても記録モードに移行しないという事態が生じることになる。そして、用紙トレイ上に携帯型表示媒体が載置されていても記録モードに移行しない場合、前記携帯型表示媒体が用紙トレイに載置されているにも拘わらず用紙搬送部が誤って駆動し、前記携帯型表示媒体が前記用紙搬送路に送り込まれてしまうという不都合が生じる虞がある。そこで、本発明の複合機は、前記構成に加えて、表示部と、前記用紙トレイ上の載置物から反射する反射光に応じて、前記載置物が紙媒体であるか否かを示す信号を出力する第２反射型センサと、前記載置物が紙媒体でないことを示す信号が前記第２反射型センサから出力され、且つ、読取用通信装置が前記載置物から前記識別情報を読み出せない場合、前記表示部にエラーを示す画像を表示する第２表示制御部とを備えていてもよい。これにより、用紙トレイ上に携帯型表示媒体が載置されている状況で前記携帯型表示媒体から識別情報を読み出せずに読取モードに移行できない場合、その旨を利用者に知らせることができるため、前記の不都合の発生を抑制できる。
【００１８】
さらに、本発明は、前記構成に加えて、表示部と、前記複合機が前記読取モードに移行すると、前記第２読取処理の実行を利用者に予告する画像を前記表示部に表示させ、前記複合機が前記記録モードに移行すると、前記記録処理の実行を利用者に予告する画像を前記表示部に表示させる第３表示制御部とを備えていてもよい。この構成によれば、前記読取モードまたは前記記録モードにおいて、前記指示入力キーを押した場合に実行される処理内容（第２読取処理または記録処理）を利用者に予告できるため、利用者によって意図しない処理が実行されることを抑制できるという効果を奏する。
【００１９】
また、本発明の複合機は、前記構成に加えて、前記印刷処理の開始指示を受け付けるためのキーであり、且つ、前記第１読取処理の開始指示を受け付けるためのキーでもある指示入力キーを備え、前記指示入力キーは、前記読取モードでは、前記第２読取処理の開始指示を受け付けるためのキーとして機能し、前記記録モードでは、前記記録処理の開始指示を受け付けるためのキーとして機能するものであってもよい。この構成によれば、印刷処理、記録処理、第１読取処理、第２読取処理において、処理開始の指示を入力するためのキーが共用されることになる。したがって、記録処理または第２読取処理における作業手順は通常のジョブ（原稿読取または印刷）を行う場合の作業手順により類似することになり、利用者にとって使い勝手が良いというメリットがある。
【００２０】
さらに、本発明の複合機は、前記構成に加えて、前記読取用載置部に第１携帯型表示媒体が載置され且つ前記記録用載置部に第２携帯型表示媒体が載置されている場合、前記複合機を表示媒体複写モードに移行させるモード制御部を備え、前記表示媒体複写モードとは、前記複合機が表示媒体複写ジョブの開始指示を受け付けることの可能な状態であり、当該開始指示が受け付けられると前記表示媒体複写ジョブが行われるようになっているモードであり、前記表示媒体複写ジョブとは、前記読取用通信装置が前記第１携帯型表示媒体から画像データを読み取る処理と、第１携帯型表示媒体から読み取られた画像データを前記記録用通信装置が前記第２携帯型表示媒体に記録する処理とを含むジョブであってもよい。この構成によれば、前記読取用載置部に載置される第１携帯型表示媒体に記録されている画像を、前記記録用載置部に載置される第２携帯型表示媒体に複写することが可能になる。
【発明の効果】
【００２１】
本発明によれば、携帯型表示媒体への画像の記録処理および携帯型表示媒体からの画像データの読取処理の両方を行うことの可能な複合機において、利用者のコマンド入力の手間を軽減することが可能になる。
【図面の簡単な説明】
【００２２】
【図１】本実施形態の複合機の内部構成を示す図である。
【図２】図１の複合機に設けられる画像読取装置を示す図である。
【図３】図１の複合機の手差トレイを示す図である。
【図４】本実施形態の複合機にて用いられる電子ペーパが備える各ハードウェアを示したブロック図である。
【図５】図１の複合機が備える各ハードウェアを示す機能ブロック図である。
【図６】本実施形態の複合機が有する制御部の処理の流れを示したフローチャートである。
【図７】図６におけるＳ７のサブルーチンである。
【図８】図６におけるＳ８のサブルーチンである。
【発明を実施するための形態】
【００２３】
本発明の実施の一形態について図に基づいて説明すれば、以下の通りである。図１は、本実施形態の複合機の構成例を示す図である。複合機１００は、紙製の原稿から光学的に画像を読み取る処理を行う画像読取装置９０と用紙に対して画像を印刷する画像形成装置１１０とを有する。
【００２４】
さらに、本実施形態の複合機１００には、無線通信によって電子ペーパから画像データを読み取る第１通信装置１２３（図２参照）と、無線通信によって電子ペーパに画像を記録する第２通信装置１３３（図３参照）とが設置されている。
【００２５】
（画像読取装置について）
本実施形態の画像読取装置（原稿読取装置）９０は、図２に示すように、原稿台９２と、原稿台９２の上側に配される原稿自動搬送装置１２０と、原稿台９２の下側に配されており撮像素子によって画像データを読み取るスキャナ部１９１とを有している。すなわち、画像読取装置９０は、原稿自動搬送装置１２０にて搬送されている状態の原稿から撮像素子によって画像を読み取る処理（第１読取処理）と、原稿台９２上に載置されている状態の原稿から撮像素子によって画像を読み取る処理（第１読取処理）とを実行可能な装置である。なお、画像読取装置９０にて生成された画像データは、複写ジョブにおいて画像形成装置１１０に入力し、ファイリングジョブにおいて所定の画像ファイル（例えばＰＤＦファイル）に変換された上で所定のアドレスに格納されるようになっている。
【００２６】
原稿台９２は、少なくとも原稿を載置可能な広さを有するガラスである。スキャナ部１９１は、原稿台９２に載置されている原稿の画像、または、原稿自動搬送装置１２０にて搬送され且つ所定位置Ｐを通過する原稿の画像を原稿台９２の下側から光学的に読み取るものである。
【００２７】
原稿自動搬送装置（ＡＤＦ；Automatic Document Feeder）１２０は、原稿台９２の上に自動で原稿を搬送する。また、原稿自動搬送装置１２０は矢印Ｍ方向に回動自在に構成され、原稿台９２を開放することにより、原稿を原稿台９２に手で載置できるようになっている。
【００２８】
原稿自動搬送装置１２０は、搬送前の原稿を載置する原稿トレイ２１と、スキャナ部１９１によって画像が読み取られた後の原稿が載置される第１排紙トレイ２２と、原稿搬送経路２３とを有する。原稿搬送経路（原稿搬送路）２３は、原稿トレイ２１の原稿が所定位置Ｐを経由して第１排紙トレイ２２に至るように形成されている。また、原稿自動搬送装置１２０には、原稿搬送経路２３に沿って、搬送方向上流側から順に、ピックアップローラ２４、捌きローラ２５、レジストローラ対２７、搬送ローラ対２８、排紙ローラ対２９、切替ゲート３４が配置されている。
【００２９】
スキャナ部１９１は、光源、ミラー、結像レンズ、撮像素子（例えばＣＣＤラインセンサ）を含む光学系である。このスキャナ部１９１においては、原稿からの反射光が撮像素子に入力され、この撮像素子が前記反射光に基づいて前記原稿の画像を示す画像データを出力するようになっている。
【００３０】
以下、原稿台９２上に載置されている状態の原稿から画像を読み取る際の動作を説明する。まず、利用者は、原稿自動搬送装置１２０を回動させて原稿台９２を開放し、原稿台９２上に原稿を載置する。その後、利用者は、原稿自動搬送装置１２０を回動させて原稿台９２を閉じ、ジョブ開始キー（不図示）を押すことで原稿読取開始コマンドを入力する。この入力によって、スキャナ部１９１は、原稿台９２の下側にて走査を開始し、原稿台９２の原稿の画像を読み取るようになっている。
【００３１】
つぎに、原稿自動搬送装置１２０を用いて原稿の読み取る際の動作について説明する。まず、原稿を片面だけ読み取る場合について説明する。はじめに、利用者は、原稿トレイ２１に原稿を載置する。つぎに、利用者は、ジョブ開始キーを押すことによって原稿読取開始コマンドを複合機１００に入力する。この入力があると、ピックアップローラ２４および捌きローラ２５によって、原稿トレイ２１の原稿を送りだし、原稿搬送経路２３において搬送されることになる。捌きローラ２５に送り出された原稿は、レジストローラ対２７に当接した状態で一旦停止する。ここで、一旦停止するのは、所定位置Ｐに原稿を送り出すタイミングを調整するためである。そして、所定位置Ｐに原稿を送り出すタイミングになると、レジストローラ対２７が駆動し、所定位置Ｐに向けて原稿が搬送される。さらに、所定位置Ｐにおいて、原稿は、原稿台９２に当接しながら搬送し、スキャナ部１９１によってその画像が読み取られる。所定位置Ｐを通過した原稿は、搬送ローラ対２８を経て、排紙ローラ対２９によって外部に排出される。ここで、排紙ローラ対２９近傍の切換えゲート３４は上向きに切換えられており（図２の点線）、排紙ローラ対２９から排出される原稿は、切換えゲート３４の下面に当接することによって第１排紙トレイ２２に案内される。
【００３２】
つぎに、原稿の両面を読み取る場合について説明する。原稿の両面を読み取る場合、上述の片面読取時と同様の動作により、先ず、原稿の表面がスキャナ部１９１によって読み取られ、当該原稿は排紙ローラ対２９の配置位置まで搬送される。そして、排紙ローラ対２９は、搬送されてきた原稿を、第１排紙トレイ２２側ではなく、中間トレイ３３側に送り出す。つまり、両面読取時において切換えゲート３４は下向きに切換えられており（図２の実線）、排紙ローラ対２９から排出される原稿は、切換えゲート３４の上面に当接することによって中間トレイ３３の方向に案内される。但し、この場合、排紙ローラ対２９は原稿を完全に排出せず、原稿をニップしたまま反転し、原稿を反転搬送経路３５へ送り出す。こうして反転搬送経路３５に送り出された原稿は、再び原稿搬送経路２３から所定位置Ｐへ送られ、裏面の読み取りが終了した後、排紙ローラ対２９によって第１排紙トレイ２２に排出されることになる。
【００３３】
（画像形成装置について）
つぎに、画像形成装置について図１に基づいて説明する。画像形成装置（印刷装置）１１０は、電子写真方式のカラープリンタであって、ＬＡＮ等にて接続されている外部端末から送られてくる画像データに基づく画像を用紙へ印刷するプリントジョブと、画像読取装置９０にて生成された画像データの画像を用紙へ印刷する複写ジョブとを実行可能な装置である。
【００３４】
画像形成装置１１０において扱われる画像データは、ブラック（Ｋ）、シアン（Ｃ）、マゼンタ（Ｍ）、イエロー（Ｙ）の各色を用いたカラー画像に応じたものである。したがって、各色に応じた４種類の潜像が形成されるように、現像器２、感光体ドラム３、帯電器５、クリーナユニット４からなる画像形成ステーションが４個設置されている。つまり、画像形成装置１１０には、ブラック画像用の画像形成ステーションと、シアン画像用の画像形成ステーションと、イエロー画像用の画像形成ステーションと、マゼンタ画像用の画像形成ステーションとが設けられている。
【００３５】
帯電器（帯電手段）５は、感光体ドラム３の表面を所定の電位に均一に帯電させるための帯電ローラである。なお、帯電器５としては、図１に示すようなローラ型の他、ブラシ型が用いられてもよい。また、ローラ型やブラシ型のような接触方式の帯電器ではなく、無線方式の帯電器が用いられてもよい。
【００３６】
露光ユニット１は、レーザ出射部（レーザ光源）と、レーザ出射部から放たれたレーザビームを走査するポリゴンミラーと、ポリゴンミラーによって走査されたレーザ光を感光体ドラム３に導くレンズおよび反射ミラー（光学部材）とを備えるレーザスキャニングユニット（ＬＳＵ）である。なお、発光素子をアレイ状に並べたＥＬやＬＥＤ書込みヘッドを露光ユニットとして設置してもよい。
【００３７】
露光ユニット１は、帯電された感光体ドラム３を、入力された画像データに応じて露光することにより、その表面に、画像データに応じた静電潜像を形成する機能を有する。現像器２は、感光体ドラム３上に形成された静電潜像を現像器２内のトナーによって現像（顕像化）するものである。なお、ブラック画像用の画像形成ステーションの現像器２ではブラックトナーによって現像が行われ、シアン画像用の画像形成ステーションの現像器２ではシアントナーによって現像が行われ、イエロー画像用の画像形成ステーションの現像器２ではイエロートナーによって現像が行われ、マゼンタ画像用の画像形成ステーションの現像器２ではマゼンタトナーによって現像が行われる。
【００３８】
クリーナユニット４は、現像・画像転写後における感光体ドラム３上の表面に残留したトナーを除去・回収するものである。
【００３９】
感光体ドラム３の上方に配置されている中間転写ベルトユニット６は、中間転写ベルト６１、中間転写ベルト駆動ローラ６２、中間転写ベルト従動ローラ６３、中間転写ローラ６４、および中間転写ベルトクリーニングユニット６５を備えている。中間転写ローラ６４はＹＭＣＫ用の各色に対応して４本設けられている。
【００４０】
中間転写ベルト駆動ローラ６２、中間転写ベルト従動ローラ６３、および中間転写ローラ６４は、中間転写ベルト６１を張架して回転駆動させる。また各中間転写ローラ６４は、感光体ドラム３のトナー像を中間転写ベルト６１上に転写するための転写バイアスを与える。
【００４１】
中間転写ベルト６１は、各感光体ドラム３に接触するように設けられている。そして、感光体ドラム３に形成された各色のトナー像が中間転写ベルト６１に順次的に重ねて転写されることによって、中間転写ベルト６１上にカラーのトナー像（多色トナー像）が形成されるようになっている。中間転写ベルト６１は、例えば厚さ１００μｍ〜１５０μｍ程度のフィルムを用いて無端状に形成されている。
【００４２】
感光体ドラム３から中間転写ベルト６１へのトナー像の転写は、中間転写ベルト６１の裏側に接触している中間転写ローラ６４によって行われる。中間転写ローラ６４には、トナー像を転写するために高電圧の転写バイアス（トナーの帯電極性（−）とは逆極性（＋）の高電圧）が印加されている。中間転写ローラ６４は、直径８〜１０ｍｍの金属（例えばステンレス）軸をベースとし、その表面が導電性の弾性材（例えばＥＰＤＭ，発泡ウレタン等）により覆われているローラである。この導電性の弾性材により、中間転写ベルト６１に対して均一に高電圧を印加することができる。本実施形態では、転写電極としてローラ形状を使用しているが、それ以外にブラシなども用いることが可能である。
【００４３】
上述のように、各感光体ドラム３上で各色に応じて顕像化されたトナー像は中間転写ベルト６１にて積層される。積層されたトナー像は、中間転写ベルト６１の回転によって、転写ローラ１０と中間転写ベルト６１との接触位置（２次転写位置）に搬送され、この接触位置において転写ローラ１０によって用紙上に転写される。
【００４４】
転写ローラ１０は、中間転写ベルト６１に対して所定ニップで圧接されると共に、トナーを用紙に転写させるための電圧が印加される（トナーの帯電極性（−）とは逆極性（＋）の高電圧）。さらに、上記所定ニップを定常的に得るために、転写ローラ１０もしくは中間転写ベルト駆動ローラ６２の何れか一方を硬質材料（金属）からなるローラとし、他方を軟質材料からなるローラ（弾性ゴムローラまたは発泡性樹脂ローラ）とする。
【００４５】
また、転写ローラ１０によって用紙上に転写が行われず中間転写ベルト６１上に残存したトナーは、次工程でトナーの混色を発生させる原因となるために、中間転写ベルトクリーニングユニット６５によって除去・回収されるように設定されている。中間転写ベルトクリーニングユニット６５には、中間転写ベルト６１に接触する例えばクリーニング部材としてクリーニングブレードが備えられており、クリーニングブレードが接触する中間転写ベルト６１は、裏側から中間転写ベルト従動ローラ６３で支持されている。
【００４６】
給紙トレイ（給紙カセット）８１は、画像形成（印刷）に使用する用紙を載置するトレイであり、画像形成装置１１０において露光ユニット１の下側に設けられている。また、利用者は、手差トレイ８２にも画像形成（印刷）に使用する用紙を載置することが可能になっている。画像形成装置１１０の上方に設けられている第２排紙トレイ９１は、印刷済みの用紙をフェイスダウンで集積するためのトレイである。
【００４７】
また、画像形成装置１１０には、給紙トレイ８１および手差トレイ８２の用紙を、転写ローラ１０や定着ユニット７を経由させて第２排紙トレイ９１に送るための、略垂直形状のシート搬送路（用紙搬送路）Ｓが設けられている。給紙トレイ８１または手差トレイ８２から第２排紙トレイ９１までのシート搬送路Ｓの近傍には、ピックアップローラ１１ａ，１１ｂ、複数の搬送ローラ１２ａ〜１２ｄ，レジストローラ１３、転写ローラ１０、定着ユニット７が配されている。
【００４８】
搬送ローラ１２ａ〜１２ｄは、用紙の搬送を促進・補助するための小型のローラであり、シート搬送路Ｓに沿って複数設けられている。ピックアップローラ１１ａは、給紙トレイ８１の端部近傍に取り付けられ、給紙トレイ８１に載置されている用紙をピックアップしてシート搬送路Ｓに供給する。ピックアップローラ１１ｂは、手差トレイ８２の端部近傍に取り付けられ、手差トレイ８２に載置されている用紙をピックアップしてシート搬送路Ｓに供給する。また、レジストローラ１３は、シート搬送路Ｓを搬送されている用紙を一旦保持するものである。そして、中間転写ベルト６１に形成されているトナー像の先端と用紙の先端とが合わさるようなタイミングで、用紙を２次転写位置に搬送する機能を有している。
【００４９】
定着ユニット７は、ヒートローラ７１および加圧ローラ７２を備えている。ヒートローラ７１および加圧ローラ７２は、用紙を挟んで回転するようになっている。またヒートローラ７１は、図示しない温度検出器からの信号に基づいて制御部１５０（後述する）によって所定の定着温度となるように設定されており、加圧ローラ７２とともにトナーを用紙に熱圧着することにより、用紙に転写された多色トナー像を溶融・混合・圧接し、用紙に対して熱定着させる機能を有している。また、定着ユニット７には、ヒートローラ７１を外部から加熱するための外部加熱ベルト７３が設けられている。
【００５０】
つぎに、片面印字時の用紙搬送について詳細に説明する。上述のように、画像形成装置１１０には、予め用紙を収納する給紙トレイ８１、手差トレイ８２が設けられている。これら給紙トレイ８１、手差トレイ８２から用紙を給紙するために、各々ピックアップローラ１１ａ，１１ｂが配置され、用紙をシート搬送路Ｓに導くようになっている。給紙トレイ８１，手差トレイ８２から搬送される用紙は、シート搬送路Ｓの搬送ローラ１２ａによってレジストローラ１３まで搬送され、用紙の先端と中間転写ベルト６１上のトナー像の先端とが合わさるタイミングで２次転写位置に搬送される。２次転写位置において、中間転写ベルト６１から用紙へトナー像が転写される。その後、用紙が定着ユニット７を通過することによって用紙上の未定着トナーが熱で溶融・固着される。定着処理の行われた後の用紙は、定着ユニット７よりも用紙搬送方向の下流側に設置される搬送ローラ１２ｂによって第２排紙トレイ９１上に排出される。
【００５１】
両面印字時の場合、上記のように片面印字が終了し定着ユニット７を通過した用紙の後端が搬送ローラ１２ｂで把持されたときに、搬送ローラ１２ｂが逆回転することによって用紙を搬送ローラ１２ｃ，１２ｄの設置位置に導く。用紙は、搬送ローラ１２ｃ，１２ｄによってレジストローラ１３の設置位置に搬送され、用紙裏面に画像の印刷が行われた後に第２排紙トレイ９１に排出される。
【００５２】
（電子ペーパについて）
つぎに、本実施形態にて用いられる電子ペーパＥについて説明する。電子ペーパＥは、画像表示用の液晶層を一対の樹脂フィルムで挟んだものであって、厚み０．３ｍｍ程度の平板状且つフレキシブルな画像表示媒体であり、周知のものが用いられる。
【００５３】
つぎに、電子ペーパＥが備える各ハードウェアについて図４に基づいて説明する。電子ペーパＥは、図４に示すように、液晶表示部１０４と無線通信ユニット１０１と記憶部１０２とＩＣチップ１０３とを有する。
【００５４】
液晶表示部１０４は、画像の書き換え時のみ電力を必要とし、電圧無印加でカラー画像を表示し続けるメモリ性を有するディスプレィであり、例えばカイラルネマティック液晶が用いられる。記憶部１０２は、電子ペーパＥに固有の識別情報を格納する記憶領域である。また、記憶部１０２には、液晶表示部１０４において表示される画像の画像データも格納される。
【００５５】
無線通信ユニット１０１は、コイルアンテナを備えており、複合機１００に設置される第１通信装置１２３（図２参照）または第２通信装置１３３（図３参照）との間で無線通信（非接触通信）によるデータの送受信を行うことが可能になっている。また、無線通信ユニット１０１は、複合機１００に設置される第１通信装置１２３または第２通信装置１３３のコイルアンテナとの間で電磁誘導によって起電力を発生し、この起電力を記憶部１０２、ＩＣチップ１０３や液晶表示部１０４に供給するようにもなっている。
【００５６】
ＩＣチップ１０３は、液晶表示部１０４、無線通信ユニット１０１、記憶部１０２を制御する集積回路である。具体的に、ＩＣチップ１０３は、電子ペーパＥが第１通信装置１２３または第２通信装置１３３の通信圏内に入ると、無線通信ユニット１０１から電力を受けて駆動可能になる。そして、ＩＣチップ１０３は、無線通信ユニット１０１を制御して第１通信装置１２３または第２通信装置１３３と通信を行う。また、ＩＣチップ１０３は、画像データを受信すると、記憶部１０２に記憶されている画像データを受信画像データに更新し、且つ、液晶表示部１０４に表示する画像を、前記受信画像データの画像に書き換えるようになっている。
【００５７】
なお、電子ペーパＥに小型の電源を備え、当該電源の電力によって記憶部１０２、ＩＣチップ１０３および液晶表示部１０４が駆動するようになっていてもよい。
【００５８】
（通信装置について）
つぎに、本実施形態の複合機１００に設置される第１通信装置１２３および第２通信装置１３３について説明する。
【００５９】
第１通信装置（読取用通信装置）１２３は、図２に示すように、原稿トレイ２１において、ピックアップローラ（原稿給紙ローラ）２４よりも原稿搬送方向の上流側に設置されている。第１通信装置１２３は、通信距離の短い近接無線転送装置であり、電子ペーパＥの無線通信ユニット１０１が第１通信装置１２３の通信圏内に入った場合、電子ペーパＥと無線接続して無線通信を行うようになっている。
【００６０】
より具体的に説明すると、第１通信装置１２３は、所定の向きで電子ペーパＥが原稿トレイ２１に載置された場合に限って原稿トレイ２１に載置されている電子ペーパＥと無線接続されることになるが、それ以外の場合は電子ペーパＥと無線接続しない。したがって、第１通信装置１２３は、誤った向きで電子ペーパＥを原稿トレイ２１に載置した場合や電子ペーパＥを単に原稿トレイ２１に近づけただけでは電子ペーパＥと無線接続せず、中間トレイ３３、第１排紙トレイ２２、給紙トレイ８１、手差トレイ８２、第２排紙トレイ９１に載置されている電子ペーパＥとも無線接続しない。
【００６１】
また、第１通信装置１２３と電子ペーパＥとが無線接続した場合、第１通信装置１２３は、まず、電子ペーパＥの識別情報を電子ペーパＥから読み出すようになっている。
【００６２】
つぎに、第２通信装置（記録用通信装置）１３３について説明する。第２通信装置１３３は、図３に示すように、手差トレイ８２に設置されている。第２通信装置１３３は、第１通信装置１２３と同様に通信距離の短い近接無線転送装置であり、電子ペーパＥの無線通信ユニット１０１が第２通信装置１３３の通信圏内に入った場合、電子ペーパＥと無線接続して無線通信を行うようになっている。
【００６３】
より具体的に説明すると、第２通信装置１３３は、所定の向きで電子ペーパＥが手差トレイ８２に載置された場合に限って手差トレイ８２に載置されている電子ペーパＥと無線接続されることになるが、それ以外の場合は電子ペーパＥと無線接続しないようになっている。したがって、第２通信装置１３３は、誤った向きで電子ペーパＥを手差トレイ８２に載置した場合や電子ペーパＥを単に手差トレイ８２に近づけただけでは電子ペーパＥと無線接続せず、原稿トレイ２１、中間トレイ３３、第１排紙トレイ２２、給紙トレイ８１、第２排紙トレイ９１に載置されている電子ペーパＥとも無線接続しない。
【００６４】
また、第２通信装置１３３と電子ペーパＥとが無線接続した場合、第２通信装置１３３は、まず、電子ペーパＥの識別情報を電子ペーパＥから読み出すようになっている。
【００６５】
なお、上述した第１通信装置１２３および第２通信装置１３３としては、例えば、通信距離が３ｃｍであって通信速度が３７５〜５６０ＭｂｐｓのＴｒａｎｓｆｅｒＪｅｔ（登録商標）、通信距離が１０ｃｍであって通信速度が１００〜４００ＫｂｐｓのＦｅｌｉｃａ（登録商標）を用いることができる。
【００６６】
（反射型センサについて）
また、本実施形態の複合機１００においては、図２に示すように、第１通信装置１２３に隣接する位置に第１反射型センサ１２４が設置され、図３に示すように、第２通信装置１３３に隣接する位置に第２反射型センサ１３４が設置されている。以下、これら反射型センサ１２４・１３４について説明する。
【００６７】
第１反射型センサ１２４は、図２に示すように、原稿トレイ２１において第１通信装置１２３よりも原稿搬送方向の上流側に設置されている。第１反射型センサ１２４は、原稿トレイ２１に載置されている載置物からの反射光を入力し、この反射光に応じた電気信号を出力するようになっている。ここで、第１反射型センサ１２４は、原稿トレイ２１に載置されている載置物が紙媒体である場合はロー信号を出力し、当該載置物が紙以外の媒体（例えば電子ペーパＥ）である場合はハイ信号を出力するようになっている。
【００６８】
第２反射型センサ１３４は、図３に示すように、手差トレイ８２において第２通信装置１３３よりも用紙搬送方向の上流側に設置されている。第２反射型センサ１３４は、手差トレイ８２に載置されている載置物からの反射光を入力し、この反射光に応じた電気信号を出力するようになっている。ここで、第２反射型センサ１３４は、手差トレイ８２に載置されている載置物が紙媒体である場合はロー信号を出力し、当該載置物が紙以外の媒体である場合はハイ信号を出力するようになっている。
【００６９】
（複合機の各ハードウェアについて）
つぎに、複合機１００に備えられる各ハードウェアおよび各ハードウェアを制御する制御部１５０について図５を参照して説明する。
【００７０】
図５に示すように、複合機１００は制御部１５０を有しており、制御部１５０は、第１通信装置１２３、第１反射型センサ１２４、第２通信装置１３３、第２反射型センサ１３４、原稿搬送部２００、スキャナ部１９１、用紙搬送部１６０、転写部１７０、操作部１８０、表示部１９０に接続されている。
【００７１】
第１通信装置１２３、第１反射型センサ１２４、第２通信装置１３３、第２反射型センサ１３４、スキャナ部１９１については、既に説明済であるため、ここではその説明を省略する。
【００７２】
図５における原稿搬送部２００は、原稿自動搬送装置１２０の原稿搬送経路２３に原稿を送り込み且つ当該原稿を原稿搬送経路２３にて搬送するための各種ローラを指す。具体的には、ピックアップローラ２４、捌きローラ２５、レジストローラ対２７、搬送ローラ対２８、排紙ローラ対２９が原稿搬送部２００に相当する。
【００７３】
図５における用紙搬送部１６０は、画像形成装置１１０のシート搬送路Ｓに用紙を送り込み且つ当該用紙をシート搬送路Ｓにて搬送させるための各種ローラを指す。具体的には、搬送ローラ１２ａ〜１２ｄ、ピックアップローラ１１ａ，１１ｂ、レジストローラ１３が用紙搬送部１６０に相当する。
【００７４】
また、図５における転写部１７０は、シート搬送路Ｓにて搬送されている用紙へ画像を印刷するための各種装置を指す。具体的には、露光ユニット１、現像器２、感光体ドラム３、帯電器５、クリーナユニット４、定着ユニット７、転写ローラ１０、中間転写ベルト駆動ローラ６２、中間転写ローラ６４が転写部１７０に該当する。
【００７５】
図５の表示部１９０は、複合機１００の操作パネル（不図示）に形成されているディスプレィを指すものであり、複合機１００を操作するために必要な操作情報や出力画像のプレビュー等を表示するためのものである。また、前記のディスプレィにはタッチパネルが構成されている。
【００７６】
操作部１８０は、前記の操作パネルに形成されている各種入力キー、および、前記タッチパネルを指すものであり、複合機１００に対する各種コマンドを利用者に入力させるためのものである。なお、操作部１８０には、各種ジョブを開始させるためのジョブ開始キーが含まれている。つまり、このジョブ開始キーは、少なくとも、スキャナ部１９１による読取処理（複写ジョブ，ファイリングジョブ）の開始指示、および、印刷処理（複写ジョブ，プリントジョブ）の開始指示のために用いられる。
【００７７】
制御部１５０は、複合機１００を制御するためのコンピュータであり、接続されている各種ハードウェアを制御して複合機１００に各種ジョブを実行させるようになっている。例えば、制御部１５０は、操作部１８０から複写ジョブの開始命令を入力すると、原稿搬送部２００、スキャナ部１９１、用紙搬送部１６０、転写部１７０を制御して、原稿から画像データを読み取ると共に当該画像データの画像を用紙に印刷する複写ジョブを複合機１００に実行させるようになっている。また、制御部１５０は、操作部１８０からプリントジョブの開始命令を入力すると、用紙搬送部１６０および転写部１７０を制御して、複合機１００の記憶装置（不図示）に格納されているジョブデータに含まれている画像データの画像を用紙に印刷するプリントジョブを複合機１００に実行させるようになっている。なお、前記の記憶装置に格納されているジョブデータは、複合機１００に接続されている端末装置から送られてきたものである。さらに、制御部１５０は、操作部１８０からファイリングジョブの開始命令を入力すると、原稿搬送部２００およびスキャナ部１９１を制御して、原稿から画像データを読み取ると共に当該画像データを所定のファイルに変換して保存するファイリングジョブを複合機１００に実行させるようになっている。
【００７８】
また、本実施形態では、制御部１５０は、第１通信装置１２３を制御して、原稿トレイ２１に載置されている状態の電子ペーパＥから無線通信によって画像データを読み取る電子ペーパ読取処理（第２読取処理）を実行するようになっている。さらに、制御部１５０は、第２通信装置１３３を制御して、手差トレイ８２に載置されている状態の電子ペーパＥへ無線通信によって画像データを記録する記録処理を実行するようになっている。
【００７９】
なお、制御部１５０は、第１通信装置１２３を電子ペーパ読取処理専用として用い、第２通信装置１３３を記録処理専用として用いる。すなわち、制御部１５０は、第１通信装置１２３によって電子ペーパ読取処理を行うが記録処理を行わず、第２通信装置１３３によって記録処理を行うが電子ペーパ読取処理を行わない。それゆえ、原稿トレイ２１は、電子ペーパ読取処理に使用する電子ペーパＥを載置するための載置部として用いられるが、記録処理に使用する電子ペーパＥを載置するための載置部としては用いられず、手差トレイ８２は、記録処理に使用する電子ペーパＥを載置するための載置部として用いられるが、電子ペーパ読取処理に使用する電子ペーパＥを載置するための載置部として用いられない。
【００８０】
（処理の流れについて）
つぎに、制御部１５０の処理の流れを図６〜図８に基づいて説明する。まずは図６に基づいて説明する。
【００８１】
まず、第１通信装置１２３・第２通信情報１３３によって電子ペーパＥの識別情報が読み出されず、第１反射型センサ１２４の出力および第２反射型センサ１３４の出力がいずれも紙媒体を示すロー信号である場合（つまり、原稿トレイ２１の最も下側の載置物および手差トレイ８２の最も下側の載置物が紙媒体である場合）、制御部１５０はジョブ開始キーの押下を待機し続ける（Ｓ１およびＳ２がＮＯ，Ｓ３およびＳ４がＹＥＳ，Ｓ５がＮＯ）。そして、ジョブ開始キーが押されると（Ｓ５にてＹＥＳ）、制御部１５０は、複写ジョブ，プリントジョブ，ファイリングジョブのうち、利用者に指定されているジョブを実行し（Ｓ６）、処理を終了する。
【００８２】
また、原稿トレイ２１および手差トレイ８２において載置物が無い場合、または、原稿トレイ２１および手差トレイ８２の一方に載置物が無いが他方に紙媒体のみが載置されている場合も、制御部１５０は、ジョブ開始キーの押下を待機し続け、ジョブ開始キーが押されると、利用者に指定されているジョブが実行されるようになっている。なお、制御部１５０は、原稿トレイ２１に載置物があるか否かを原稿トレイ用の入紙検知センサ（不図示）を用いて検出し、手差トレイ８２に載置物があるか否かを手差トレイ用の入紙検知センサ（不図示）を用いて検出するようになっている。
【００８３】
これに対し、制御部１５０は、原稿トレイ２１に載置物があり、第１通信装置１２３が原稿トレイ２１の載置物から識別情報を読み取った場合、複合機１００を電子ペーパ読取モードへ移行させる（Ｓ１にてＹＥＳ，Ｓ７）。また、制御部１５０は、手差トレイ８２に載置物があり、第２通信装置１３３が手差トレイ８２の載置物から識別情報を読み取った場合、複合機１００を記録モードへ移行させるようになっている（Ｓ２にてＹＥＳ，Ｓ８）。Ｓ７の電子ペーパ読取モードおよびＳ８の記録モードの各々については後に詳述する。
【００８４】
なお、原稿トレイ２１の載置物が電子ペーパＥであり、電子ペーパＥが第１通信装置１２３の通信圏内にある場合（電子ペーパＥが原稿トレイ２１に正しい向きで載置されている場合）、第１通信装置１２３は電子ペーパＥの識別情報を読み取るようになっている。それゆえ、Ｓ１にて識別情報を読み取ったと判定される場合とは、原稿トレイ２１の載置物が電子ペーパＥであり、且つ電子ペーパＥが第１通信装置１２３の通信圏内にある状況である。これに対し、Ｓ１にて識別情報を読み取っていないと判定される場合とは、原稿トレイ２１の載置物が電子ペーパＥでないか、原稿トレイ２１の載置物が電子ペーパＥであるものの電子ペーパＥが第１通信装置１２３の通信圏内にない状況である（電子ペーパＥが原稿トレイ２１に誤った向きで載置されている）。
【００８５】
また、手差トレイ８２の載置物が電子ペーパＥであり、電子ペーパＥが第２通信装置１３３の通信圏内にある場合（電子ペーパＥが手差トレイ８２に正しい向きで載置されている場合）、第２通信装置１３３は電子ペーパＥの識別情報を読み取るようになっている。それゆえ、Ｓ２にて識別情報を読み取ったと判定される場合とは、手差トレイ８２の載置物が電子ペーパＥであり、電子ペーパＥが第２通信装置１３３の通信圏内にある状況である。また、Ｓ２にて識別情報を読み取っていないと判定される場合とは、手差トレイ８２の載置物が電子ペーパＥでないか、手差トレイ８２の載置物が電子ペーパＥであるものの電子ペーパＥが第２通信装置１３３の通信圏内にない状況である（例えば電子ペーパＥが誤った向きで手差トレイ８２に載置されている）。
【００８６】
さらに、制御部１５０は、原稿トレイ２１に載置物があり、第１通信装置１２３・第２通信情報１３３によって電子ペーパＥの識別情報が読み出されず、第１反射型センサ１２４の出力が紙媒体以外の媒体を示すハイ信号になった場合、エラー画像を表示部１９０に表示し、処理を終了する（Ｓ３にてＮＯ，Ｓ９）。Ｓ９にて表示されるエラー画像は、エラーを示す画像であれば限定されないが、一例としては、原稿トレイ２１上の載置物に対して処理を行えない事を示すエラーメッセージがあげられる。
【００８７】
なお、Ｓ３にてＮＯの場合とは、原稿トレイ２１の載置物が紙媒体および電子ペーパＥのいずれでもない状況、または、原稿トレイ２１の載置物が電子ペーパＥであるものの電子ペーパＥが第１通信装置１２３の通信圏内にないため電子ペーパ読取モード（Ｓ７）へ移行できない状況である（誤った向きで電子ペーパＥを原稿トレイ２１に載置した場合、原稿トレイ２１の載置物が電子ペーパＥであっても、電子ペーパＥが前記通信圏内からはずれることがある）。
【００８８】
また、制御部１５０は、手差トレイ８２に載置物があり、第１通信装置１２３・第２通信情報１３３によって電子ペーパＥの識別情報が読み出されず、第２反射型センサ１３４の出力が紙媒体以外の媒体を示すハイ信号になった場合、エラー画像を表示部１９０に表示し、処理を終了する（Ｓ４にてＮＯ，Ｓ１０）。Ｓ１０にて表示されるエラー画像は、エラーを示す画像であれば限定されないが、一例としては、手差トレイ８２上の載置物に対して処理を行えない事を示すエラーメッセージがあげられる。
【００８９】
なお、Ｓ４にてＮＯの場合とは、手差トレイ８２の載置物が紙媒体および電子ペーパＥのいずれでもない場合、または、手差トレイ８２の載置物が電子ペーパＥであるものの電子ペーパＥが第２通信装置１３３の通信圏内にないため記録モード（Ｓ８）へ移行できない状況である（誤った向きで電子ペーパＥを手差トレイ８２に載置した場合、手差トレイ８２の載置物が電子ペーパＥであっても、電子ペーパＥが前記通信圏内からはずれることがある）。
【００９０】
つぎに、図６のＳ７の電子ペーパ読取モードへ移行した後の処理の流れを図７に基づいて説明する。図７は、図６のＳ７のサブルーチンである。
【００９１】
図７の電子ペーパ読取モードへ移行すると、制御部１５０は、電子ペーパ読取処理の実行を利用者に予告する予告画像を表示部１９０に表示させる（Ｓ１１）。なお、Ｓ１１の予告画像は、ジョブ開始キーを押した場合に電子ペーパ読取処理が行われることを予告する画像であれば限定されないが、本実施形態では「電子ペーパ読取」というメッセージを表示する。
【００９２】
そして、制御部１５０は、操作部１８０のジョブ開始キーの押下を待機する（Ｓ１２にてＮＯ）。ジョブ開始キーがおされると（Ｓ１２にてＹＥＳ）、制御部１５０は、原稿トレイ２１に載置されている状態の電子ペーパＥに表示されている画像の画像データを読み取る処理（電子ペーパ読取処理）を第１通信装置１２３に実行させる（Ｓ１３）。具体的に、第１通信装置１２３は、電子ペーパＥの記憶部１０２にて記憶されている画像データを無線通信によって読み取っていることになる。その後、制御部１５０は、電子ペーパ読取処理終了を示すメッセージを表示部１９０に表示させ（Ｓ１４）、電子ペーパ読取モードを終了する。
【００９３】
つぎに、図６のＳ８の記録モードへ移行した後の処理の流れを図８に基づいて説明する。図８は、図６のＳ８のサブルーチンである。
【００９４】
図８の記録モードへ移行すると、制御部１５０は、記録処理の実行を利用者に予告する予告画像を表示部１９０に表示させる（Ｓ２１）。なお、Ｓ２１の予告画像は、ジョブ開始キーを押した場合に記録処理が行われることを予告する画像であれば限定されないが、本実施形態では「電子ペーパ記録」というメッセージを表示する。
【００９５】
そして、制御部１５０は、操作部１８０のジョブ開始キーの押下を待機する（Ｓ２２にてＮＯ）。また、この待機期間において、電子ペーパＥに記録させる画像データを利用者に選択させる。例えば、複合機１００に記憶されているプリントジョブのジョブデータの中から、電子ペーパＥに記録させる画像データを利用者に選択させるようになっていてもよいし、画像読取装置９０によって原稿から読み取られ且つ複合機１００に記憶されている画像データの中から、電子ペーパＥに記録させる画像データを利用者に選択させるようになっていてもよい。
【００９６】
ジョブ開始キーが押されると（Ｓ２２にてＹＥＳ）、制御部１５０は、手差トレイ８２に載置されている状態の電子ペーパＥに画像データを記録する処理（記録処理）を第２通信装置１３３に実行させる（Ｓ２３）。この記録処理により、電子ペーパＥの記憶部１０２には第２通信装置１３３から無線通信で送られてきた画像データが書き込まれ、且つ、電子ペーパＥの液晶表示部１０４には当該画像データの画像が表示されることになる。その後、制御部１５０は、電子ペーパ記録終了を示すメッセージを表示部１９０に表示させ（Ｓ２４）、電子ペーパ読取モードを終了する。
【００９７】
なお、制御部１５０は、Ｓ７の電子ペーパ読取モードの期間中は原稿搬送部２００の駆動を禁止し、Ｓ８の記録モードの期間中は用紙搬送部１６０の駆動を禁止している。これにより、Ｓ７の電子ペーパ読取モードの期間中に、原稿トレイ２１に載置されている電子ペーパＥが原稿搬送経路２３に送り込まれることはないし、Ｓ８の記録モードの期間中に、手差トレイ８２に載置されている電子ペーパＥがシート搬送路Ｓに送り込まれることはない。
【００９８】
また、制御部１５０は、Ｓ３にてＮＯと判定された場合は原稿搬送部２００の駆動を禁止し、Ｓ４にてＮＯと判定された場合は用紙搬送部１６０の駆動を禁止している。これにより、原稿トレイ２１上に紙以外の媒体が載置されている場合、当該媒体が原稿搬送経路２３に送り込まれるという事態の発生を抑制でき、手差トレイ８２上に紙以外の媒体が載置されている場合、当該媒体がシート搬送路Ｓに送り込まれるという事態の発生を抑制できる。
【００９９】
以上示したように、本実施形態の複合機１００は、利用者によって電子ペーパＥが載置される原稿トレイ２１と、原稿トレイ２１とは異なる位置にあり、利用者によって電子ペーパＥが載置される手差トレイ８２と、原稿トレイ２１に載置されている状態の電子ペーパＥから無線通信にて画像データを読み取る電子ペーパ読取処理（第２読取処理）を実行する第１通信装置１２３と、手差トレイ８２に載置されている状態の電子ペーパＥに対して無線通信にて画像データを記録する記録処理を実行する第２通信装置１３３とを備えている。この構成によれば、原稿トレイ２１に電子ペーパＥを載置すれば電子ペーパ読取処理が実行され、手差トレイ８２に電子ペーパＥを載置すれば前記記録処理が実行されるようになっている。つまり、本実施形態の複合機１００によれば、電子ペーパＥの載置する位置に応じて実行される処理内容が定まっているため、前記処理内容を選択するための選択コマンド（電子ペーパ読取処理および記録処理のいずれかを選択するためのコマンド）を利用者から受け付ける必要がない。言い換えると、本実施形態の構成によれば、利用者の所望する処理内容に対応するトレイに電子ペーパＥを載置するだけで処理内容が選択されたことになるため、前記選択コマンドを入力する工程が不要になる。よって、本実施形態の構成によれば、電子ペーパ読取処理および記録処理の両方を実行できる複合機において入力作業の手間を軽減することができるという効果を奏する。
【０１００】
また、本実施形態において、制御部（モード制御部）１５０は、原稿トレイ２１に電子ペーパＥが載置されると複合機１００を電子ペーパ読取モードに移行させ、手差トレイ８２に電子ペーパＥが載置されると複合機１００を記録モードに移行させている。そして、電子ペーパ読取モード（図７）とは、複合機１５０が電子ペーパ読取処理の開始指示を受け付けることの可能な状態であり、当該開始指示が受け付けられると第１通信装置１２３が電子ペーパ読取処理を実行するようになっているモードであり、前記記録モード（図８）とは、複合機１５０が前記記録処理の開始指示を受け付けることの可能な状態であり、当該開始指示が受け付けられると第２通信装置１３３が前記記録処理を実行するようになっているモードである。それゆえ、電子ペーパ読取処理または記録処理を行う場合の利用者の作業手順は、処理内容に応じて決められたトレイに電子ペーパＥを載置し、処理開始タイミングにて処理開始の指示を入力するという手順になり、決められた載置場所に原稿または用紙を載置して処理開始の指示を入力するという通常のジョブ（原稿読取または印刷）を行う場合の作業手順と類似することになる。よって、本実施形態の構成によれば、利用者にとって使い勝手が良いというメリットがある。
【０１０１】
さらに、本実施形態において、第１通信装置１２３は、原稿トレイ２１に電子ペーパＥが載置されると、電子ペーパＥの識別情報を電子ペーパＥから読み出すようになっており、第２通信装置１３３は、手差トレイ８２に電子ペーパＥが載置されると、電子ペーパＥの識別情報を電子ペーパＥから読み出すようになっている。そして、制御部１５０は、第１通信装置１２３が前記識別情報を読み出した場合に複合機１５０を電子ペーパ読取モード（Ｓ７、図７）に移行させ、第２通信装置１３３が前記識別情報を読み出した場合に複合機１５０を記録モード（Ｓ８、図８）に移行させるようになっている。つまり、制御部１５０は、第１通信装置１２３が前記識別情報を読み出した事をもって原稿トレイ２１に電子ペーパＥが載置された事を認識し、複合機１５０を電子ペーパ読取モードに移行させ、第２通信装置１３３が前記識別情報を読み出した事をもって手差トレイ８２に電子ペーパＥが載置された事を認識し、複合機１５０を記録モードに移行するようになっている。それゆえ、原稿トレイ２１または手差トレイ８２に電子ペーパＥが載置されていないのに電子ペーパ読取モードや記録モードに移行してしまうといった事態を抑制できる。
【０１０２】
また、本実施形態では、画像読取装置９０の読取処理（第１読取処理）にて用いられる原稿を載置するための原稿トレイ２１は、電子ペーパ読取処理用の電子ペーパＥの載置部として流用され、画像形成装置１１０の印刷処理にて用いられる用紙を載置するための手差トレイ（用紙トレイ）８２は、記録処理用の電子ペーパＥの載置部として流用されている。つまり、本願発明の構成によれば、読取処理に利用される媒体を原稿トレイに載置させ、画像書込（印刷，記録）に利用される媒体を用紙トレイに載置させており、処理の種類毎に媒体の載置場所を共通化していることになる。したがって、利用者からすれば、携帯型表示媒体の載置場所が分かり易く、使い勝手が良いという利点がある。
【０１０３】
さらに、制御部（搬送制御部）１５０は、電子ペーパ読取モード（Ｓ７）では原稿搬送部２００を動作させず、記録モード（Ｓ８）では用紙搬送部１６０を動作させないようになっている。それゆえ、原稿トレイ２１に載置された電子ペーパＥが原稿搬送経路２３に送り込まれる事態、および、手差トレイ８２に載置された電子ペーパＥがシート搬送路Ｓに送り込まれるという事態を抑制できるため、原稿搬送経路２３やシート搬送路Ｓにて電子ペーパＥが詰まってガイドやセンサ等が傷つき破損するという問題の発生を抑制できる。
【０１０４】
また、原稿トレイ２１または手差トレイ８２上における電子ペーパＥの置き方が適切でなければ、第１通信装置１２３・第２通信装置１３３は電子ペーパＥから識別情報を読み出せず、Ｓ７の電子ペーパ読取モードやＳ８の記録モードに移行できない。このようなケースでは、原稿トレイ２１または手差トレイ８２上に電子ペーパＥが載置されているにも拘わらず印刷処理やスキャナ部１９１による読取処理が開始される危険性があり、原稿搬送部２００や用紙搬送部１６０が誤って駆動し、電子ペーパＥが原稿搬送経路２３やシート搬送路Ｓに送り込まれてしまうという不都合が生じる虞がある。
【０１０５】
そこで、本実施形態では、複合機１００は、原稿トレイ上２１の載置物から反射する反射光に応じて、前記載置物が紙媒体であるか否かを示す信号を出力する第１反射型センサ１２４と、手差トレイ上８２の載置物から反射する反射光に応じて、前記載置物が紙媒体であるか否かを示す信号を出力する第２反射型センサ１３４とを備えている。そして、制御部（第１表示制御部）１５０は、原稿トレイ２１上の載置物が紙媒体でないことを示す信号を第１反射型センサ１２４が出力し、且つ、第１通信装置１２３が原稿トレイ２１上の載置物から前記識別情報を読み出せない場合、表示部１９０にエラーを示す画像を表示するようになっている。また、制御部（第２表示制御部）１５０は、手差トレイ８２上の載置物が紙媒体でないことを示す信号を第２反射型センサ１３４が出力し、且つ、第２通信装置１３３が手差トレイ８２上の載置物から前記識別情報を読み出せない場合も、表示部１９０にエラーを示す画像を表示するようになっている。これにより、原稿トレイ２１や手差トレイ８２に電子ペーパＥが載置されている状況で電子ペーパＥから識別情報を読み出せずに電子ペーパ読取モード（Ｓ７）や記録モード（Ｓ８）に移行できない場合、その旨を利用者に知らせることができるため、電子ペーパＥが原稿搬送経路２３やシート搬送路Ｓに誤って送り込まれてしまうという不都合の発生を抑制できる。
【０１０６】
さらに、本実施形態の制御部（第３表示制御部）１５０は、電子ペーパ読取モードに移行すると、電子ペーパ読取処理の実行を利用者に予告する画像を表示部１９０に表示させ（Ｓ１１）、記録モードに移行すると、記録処理の実行を利用者に予告する画像を表示部１９０に表示させるようになっている（Ｓ２１）。それゆえ、電子ペーパ読取モードまたは記録モードに移行後、ジョブ開始キーを押した場合に実行される処理内容（電子ペーパ読取処理、記録処理）を利用者に予め通知できるため、利用者が意図しない処理が実行されることを抑制できる。
【０１０７】
また、本実施形態の複合機１００は、印刷処理の開始指示を受け付けるためのキーであり、且つ、スキャナ部１９１による読取処理の開始指示を受け付けるためのキーでもあるジョブ開始キー（指示入力キー）を備えている。そして、このジョブ開始キーは、電子ペーパ読取モードでは、電子ペーパ読取処理の開始指示を受け付けるためのキーとして機能し（Ｓ１２）、記録モードでは、記録処理の開始指示を受け付けるためのキーとして機能している（Ｓ２２）。この構成によれば、印刷処理、記録処理、電子ペーパ読取処理、スキャナ部１９１による読取処理において、処理開始の指示を入力するためのキーが共用されることになる。したがって、記録処理や電子ペーパ読取処理における作業手順は通常のジョブ（原稿読取または印刷）を行う場合の作業手順により類似することになり、利用者にとって使い勝手が良いというメリットがある。
【０１０８】
また、以上の実施例では言及がないが、（１）原稿トレイ２１に電子ペーパＥを載置して電子ペーパ読取モードに移行させた後に手差トレイ８２に電子ペーパＥ´を載置しても、電子ペーパ読取モードが維持され、記録モードには移行せず、（２）手差トレイ８２に電子ペーパＥを載置して記録モードに移行させた後に原稿トレイ２１に電子ペーパＥ´を載置しても、記録モードが維持され、電子ペーパ読取モードには移行しないようになっている。
【０１０９】
これに対し、原稿トレイ２１に電子ペーパＥを載置して電子ペーパ読取モードに移行させた後に手差トレイ８２に電子ペーパＥ´を載置した場合、または、手差トレイ８２に電子ペーパＥ´を載置して記録モードに移行させた後に原稿トレイ２１に電子ペーパＥを載置した場合、電子ペーパ読取モードまたは記録モードから電子ペーパ複写モード（表示媒体複写モード）に移行するようになっていてもよい。この電子ペーパ複写モードとは、複合機１５０が電子ペーパ複写ジョブの開始指示を受け付けることの可能な状態であり、当該開始指示が受け付けられると前記電子ペーパ複写ジョブが行われるようになっているモードである。また、電子ペーパ複写ジョブ（表示媒体複写ジョブ）とは、第１通信装置１２３が電子ペーパＥから画像データを読み取る処理と、電子ペーパＥから読み取られた画像データを第２通信装置１３３が電子ペーパＥ´に記録する処理とを含むジョブである。つまり、原稿トレイ２１に電子ペーパＥ（第１携帯型表示媒体）が載置され、且つ手差トレイ８２に電子ペーパＥ´（第２携帯型表示媒体）が載置されると、制御部１５０は複合機１００を電子ペーパ複写モードに移行させる。そして、電子ペーパ複写モードにおいて、ジョブ開始ボタンが押された場合、制御部１５０は、まず、原稿トレイ２１の電子ペーパＥから画像データを読み取る処理を第１通信装置１２３に行わせる。その後、制御部１５０は、原稿トレイ２１の電子ペーパＥから読み取られた画像データを手差トレイ８２の電子ペーパＥ´に記録する処理を第２通信装置１３３に行わせる。これにより、原稿トレイ２１に載置される電子ペーパに記録されている画像を、手差トレイ８２に載置される電子ペーパに複写することが可能になる。
【０１１０】
なお、本実施形態では、第１通信装置１２３および第２通信装置１３３との間で画像データを送受信する携帯型表示媒体として電子ペーパを用いたが、当該携帯型表示媒体は、画像を表示するものであり当該画像の画像データを無線通信にて受信且つ送信可能になっている携帯可能な媒体であればよく、電子ペーパに限定されるものではない。このような携帯型表示媒体としては、電子ペーパの他、電子ブック端末、スマートフォン、携帯情報端末が挙げられる。また、本実施形態の複合機１００では、携帯型表示媒体を搬送路に送り込まず、トレイ上の携帯型表示媒体に対して画像データの書き込みおよび読み取りを行うものであることから、携帯型表示媒体にフレキシブル性は要求されない。
【０１１１】
また、本実施形態では、原稿トレイ２１を、電子ペーパ読取処理の対象となる電子ペーパを載置する読取用載置部として利用しているが、読取用載置部は原稿トレイ２１に限定されるものではない。例えば、原稿台９２、中間トレイ３３、第１排紙トレイ２２等の原稿載置箇所を前記読取用載置部として利用してもよい。但し、この場合、第１通信装置１２３の設置箇所を、前記読取用載置部の場所に応じて適宜変更する必要がある。
【０１１２】
さらに、本実施形態では、手差トレイ８２を、記録処理の対象となる電子ペーパを載置する記録用載置部として利用しているが、記録用載置部は手差トレイ８２に限定されるものではない。例えば、給紙トレイ８１や第２排紙トレイ９１等の用紙載置場所を、前記記録用載置部として利用してもよい。但し、この場合、第２通信装置１３３の設置箇所を、前記記録用載置部の場所に応じて適宜変更する必要がある。
【０１１３】
また、特許文献３，４における無線通信手段（電子ペーパと通信を行う手段）は、本実施形態のような近接無線転送装置ではなく、通信範囲が広いものである。したがって、特許文献３，４において、画像形成装置内にライタの他にリーダを備えても、電子ペーパを画像形成装置に近づけた場合にリーダとライタとの両方が電子ペーパと通信可能になるため、読取処理または記録処理のいずれかを選択する選択コマンドを利用者に入力させなければならず、本実施形態の構成よりも手間が生じることになる。
【０１１４】
また、本願明細書の「複合機」は、印刷機能とスキャン機能とを備えているものを指し、所謂「複写機」も複合機に含まれる。
【０１１５】
なお、以上の実施形態は、原稿トレイ２１において原稿１枚若しくは電子ペーパ１枚が載置されている場合の処理例、および、手差トレイ８２おいて用紙１枚若しくは電子ペーパ１枚が載置されている場合の処理例を説明したものである。
【０１１６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１１７】
本発明は、用紙へ画像を印刷する機能と原稿から画像を読み取る機能とを有する複合機に利用できる。
【符号の説明】
【０１１８】
２１    原稿トレイ（読取用載置部）
２３    原稿搬送経路（原稿搬送路）
８２    手差トレイ（記録用載置部，用紙トレイ）
９０    画像読取装置（原稿読取装置）
１００    複合機
１１０    画像形成装置（印刷装置）
１２３    第１通信装置（読取用通信装置）
１２４    第１反射型センサ
１３３    第２通信装置（記録用通信装置）
１３４    第２反射型センサ
１５０    制御部（モード制御部、搬送制御部、第１表示制御部、第２表示制御部、第３表示制御部）
１６０    用紙搬送部
１８０    操作部
１９０    表示部
２００    原稿搬送部
Ｅ    電子ペーパ（携帯型表示媒体）
Ｓ    シート搬送路（用紙搬送路）
【図１】
2011250316.tif 000003
【図２】
2011250316.tif 000004
【図３】
2011250316.tif 000005
【図４】
2011250316.tif 000006
【図５】
2011250316.tif 000007
【図６】
2011250316.tif 000008
【図７】
2011250316.tif 000009
【図８】
2011250316.tif 000010